(57)【要約】【課題】カメラモジュールのプライバシー保護機能をコンパクトに構成できる電子機器等を提供する。【解決手段】カメラモジュール１０は、レンズ１３と、撮像素子が実装された回路基板１１と、電磁波を遮断する電磁波シールド１２と、を備えている。電磁波シールド１２は、第１位置と第２位置との間を移動可能に構成されている。電磁波シールド１２が第１位置に位置した状態では、レンズ１３の光軸上に開口１２５が重畳してレンズ１３が露出する。電磁波シールド１２が第２位置に位置した状態では、レンズ１３の光軸上から開口１２５がずれて撮像素子が遮光される。【選択図】図２
2020134751.tif 000002
【特許請求の範囲】
【請求項１】
カメラモジュールが搭載された電子機器であって、
前記カメラモジュールは、レンズと、該レンズから入ってきた光を電気信号に変換する撮像素子が実装された回路基板と、該回路基板から発せられた電磁波及び／又は外部から前記回路基板へ侵入する電磁波を遮蔽する電磁波シールドと、を備え、
前記電磁波シールドは、開口を有し、前記レンズの光軸上に前記開口が重畳する第１位置と、前記レンズの光軸上に前記開口が重畳しない第２位置と、の間を移動可能に構成されている、
電子機器。
【請求項２】
画像を表示する表示面及び該表示面とは反対側の背面を有した表示パネルと、前記背面を覆う第１カバーと、前記表示面を覆う第２カバーと、をさらに備え、
前記電磁波シールドは、前記第１カバー及び前記第２カバーのいずれか一方に面した嵌合部を有し且つ前記第１カバー及び前記第２カバーのいずれか一方の表面を滑動するスライダと、前記第１カバー及び前記第２カバーのいずれか他方に面したクッションと、を備え、
前記第１カバー及び前記第２カバーのいずれか一方には、前記電磁波シールドが前記第１位置及び前記第２位置に位置した状態の前記嵌合部に対応する位置に被嵌合部が設けられ、
前記嵌合部は、一対の凹部及び凸部のいずれか一方であり、前記被嵌合部は、一対の前記凹部及び前記凸部のいずれか他方であり、
前記クッションは、前記被嵌合部に向かって前記スライダを押圧する、
請求項１に記載の電子機器。
【請求項３】
前記電磁波シールドは、磁石又は磁石に引き付けられる強磁性体から形成された従動部材をさらに備え、
前記第１カバー及び前記第２カバーの外側から前記従動部材を動かすことで、前記電磁波シールドを前記第１位置と前記第２位置との間で移動可能に構成されている、
請求項２に記載の電子機器。
【請求項４】
前記回路基板は、平行な一対の長辺を有した平板状に形成され、
前記電磁波シールドは、前記回路基板の実装面に対向する天壁と、該天壁から起立して各々の前記長辺に対向する一対の側壁と、を有し、
前記電磁波シールドは、前記側壁が前記長辺に案内されて直線移動に規制されている、
請求項１乃至３のいずれか一項に記載の電子機器。
【請求項５】
前記回路基板は、該回路基板の長手方向に沿って並べられ且つ前記長手方向及び前記回路基板の厚み方向に交差する前記回路基板の幅方向に突出した複数の案内部を有し、
前記電磁波シールドは、前記回路基板の実装面に対向する天壁と、該天壁から起立して前記案内部に対向する一対の側壁と、を有し、
前記電磁波シールドは、前記側壁が複数の前記案内部の頂点を結んだ直線に沿って案内されて直線移動に規制されている、
請求項１乃至３のいずれか一項に記載の電子機器。
【請求項６】
カメラモジュールが搭載された電子機器と、該電子機器に装着可能なタッチペンと、を備えた電子機器システムであって、
前記カメラモジュールは、レンズと、該レンズから入ってきた光を電気信号に変換する撮像素子が実装された回路基板と、該回路基板から発せられた電磁波及び／又は外部から前記回路基板へ侵入する電磁波を遮蔽する電磁波シールドと、を備え、
前記電磁波シールドは、前記レンズを露出させる開口を有し、前記レンズの光軸上に前記開口が重畳する第１位置と、前記レンズの光軸上に前記開口が重畳しない第２位置と、の間を移動可能に構成され、
前記電磁波シールドは、磁石又は磁石に引き付けられる強磁性体から形成された従動部材を備え、
前記従動部材は、前記第１位置と前記第２位置との間で前記電磁波シールドが移動する方向に所定の距離で離間して複数設けられ、
前記タッチペンは、前記所定の距離に対応する距離で離間し且つ前記従動部材と磁力によって引き合う複数の駆動部材を備え、
前記電磁波シールドは、前記駆動部材との間で相互に作用する磁力によって前記電子機器の外側から前記従動部材を動かすことにより移動可能に構成されている、
電子機器システム。
【発明の詳細な説明】
【技術分野】
【０００１】
本発明は、カメラモジュールを備えた電子機器等に関する。
【背景技術】
【０００２】
ノートパソコンやタブレット端末等の電子機器は、ベゼル等に配置されたカメラモジュールを内蔵している。万が一のハッキングに備えて、カメラモジュールを使用するときだけレンズを露出させ、カメラモジュールを使用しないときにはレンズを隠して盗撮を防止する、プライバシー保護機能に根強い人気がある。そのような機能を付与するパーツとして、レンズの周りに設けられたレールと、該レール上をスライドする遮光カバーと、を備えたシャッター（ウェブカメラカバー）が知られている（例えば、特許文献１及び２参照）。
【先行技術文献】
【特許文献】
【０００３】
【特許文献１】登録実用新案第３１７０６１９号公報
【特許文献２】米国特許出願公開第２０１５／０００９３９９号公報
【発明の概要】
【発明が解決しようとする課題】
【０００４】
カメラモジュールの周りにレール等を設けると、ベゼルの狭額縁化やディスプレイの薄型化の妨げになる。そこで、本発明は、カメラモジュールのプライバシー保護機能をコンパクトに構成できる電子機器等を提供することを目的とする。
【課題を解決するための手段】
【０００５】
本発明の一態様に係る電子機器には、カメラモジュールが搭載されている。カメラモジュールは、レンズと、レンズから入ってきた光を電気信号に変換する撮像素子が実装された回路基板と、回路基板から発せられた電磁波及び外部から回路基板に侵入しようとする電磁波の少なくとも一方を遮蔽する電磁波シールドと、を備えている。電磁波シールドは、開口を有している。電磁波シールドは、レンズの光軸上に開口が重畳する第１位置と、レンズの光軸上に開口が重畳しない第２位置と、の間を移動可能に構成されている。
【０００６】
この態様によれば、電磁波シールドが第１位置と第２位置との間を移動可能に構成されている。第１位置に位置した状態では、レンズの光軸上に開口が重畳してレンズが露出する。第２位置に位置した状態では、レンズの光軸上から開口がずれて撮像素子が遮光される。プライバシー保護機能を備えた電子機器において、電磁波シールドを流用してレンズの周りに設けられたレールやレール上をスライドする遮光カバーを省略できる。電子機器がノートパソコン等であれば、ディスプレイ等を狭額縁化、薄型化できる。
【０００７】
本発明の一態様に係る電子機器システムは、カメラモジュールが搭載された電子機器と、該電子機器に装着可能なタッチペンと、を備えている。カメラモジュールは、レンズと、該レンズから入ってきた光を電気信号に変換する撮像素子が実装された回路基板と、該回路基板から発せられた電磁波及び／又は外部から回路基板へ侵入する電磁波を遮蔽する電磁波シールドと、を備えている。電磁波シールドは、レンズを露出させる開口を有し、レンズの光軸上に開口が重畳する第１位置と、レンズの光軸上に開口が重畳しない第２位置と、の間を移動可能に構成されている。電磁波シールドは、磁石又は磁石に引き付けられる強磁性体から形成された従動部材を備えている。従動部材は、第１位置と第２位置との間で電磁波シールドが移動する方向に所定の距離で離間して複数設けられている。タッチペンは、所定の距離に対応する距離で離間し且つ従動部材と磁力によって引き合う複数の駆動部材を備えている。電磁波シールドは、駆動部材との間で相互に作用する磁力によって電子機器の外側から従動部材を動かすことにより移動可能に構成されている。
【０００８】
この態様によれば、カメラモジュールのプライバシー保護機能をコンパクトに構成できる。さらに、電子機器に装着されるタッチペンを電磁波シールドの操作の用に供される把持部として利用できる。
【発明の効果】
【０００９】
本発明によれば、カメラモジュールのプライバシー保護機能をコンパクトに構成できる電子機器等を提供することができる。
【図面の簡単な説明】
【００１０】
【図１】図１は、本発明の一実施形態の電子機器に搭載されたディスプレイの一例を示す正面図であって、電磁波シールドが第１位置に位置している状態を示している。
【図２】図２は、本発明の一実施形態の電子機器に搭載されたディスプレイの一例を示す正面図であって、電磁波シールドが第２位置に位置している状態を示している。
【図３】図３は、図１に示されたカメラモジュールを分解して示す斜視図である。
【図４】図４は、図３に示された回路基板の変形例を示す平面図である。
【図５】図５は、図１中のＶ−Ｖ線に沿う断面図である。
【図６】図６は、図５に示された電磁波シールドの端部を拡大して示す断面図である。
【発明を実施するための形態】
【００１１】
添付図面を参照して、本発明の好適な実施形態について説明する。なお、各図において、同一の符号を付したものは、同一又は同様の構成を有する。本発明の一実施形態の電子機器１は、回路基板１１から発せられた電磁波及び外部から回路基板１１へ侵入する電磁波の少なくとも一方を遮蔽する電磁波シールド１２が第１位置（図１参照）と第２位置（図２参照）との間を移動可能に構成されていることが特徴の一つである。
【００１２】
電磁波シールド１２が第1位置に位置した状態では、レンズ１３の光軸上に開口１２５が重畳してレンズ１３が露出する。一方、第２位置に位置した状態では、レンズ１３の光軸上から開口１２５がずれて撮像素子が遮光される。電磁波シールド１２は、例えば磁力によって筐体４の外部から手を触れずに動かすことができる（図５参照）。
【００１３】
電磁波シールド１２には、回路基板１１を挟んで対向する側壁１２１，１２３が設けられている（図３参照）。側壁１２１，１２３が回路基板１１の長辺１１１，１１３に沿って案内されるため、レール等を追加する必要がない。回路基板１１の長手方向Ｘに沿って複数の案内部１１５を並べてもよい（図４参照）。筐体４には、凸部２１，２２が設けられている（図６参照）。電磁波シールド１２のスライダ１７を筐体４の凸部２１，２２に係止させて電磁波シールド１２を第１位置や第２位置に位置決めできる。以下、図１から図６を参照して各構成について詳しく説明する。
【００１４】
図１及び図２は、本発明の一実施形態の電子機器１に搭載されたディスプレイ２の一例を示す正面図である。図１は、後述する電磁波シールド１２が第２位置に位置している状態を示し、図２は、電磁波シールド１２が第１位置に位置している状態を示している。図示した例では、電子機器１の一例としてノートパソコンを開示している。なお、電子機器１は、ノートパソコンに限定されず、デスクトップパソコン、タブレット端末、スマートフォン、携帯電話端末、ゲーム機器、デジタルサイネージ等の他種のコンピュータであってもよい。
【００１５】
電子機器１は、ディスプレイ２と、ディスプレイ２にヒンジで連結された図示しないパソコン本体と、を備えている。パソコン本体には、ディスプレイ２の動作を制御するチップセット、ディスプレイ２に電力を供給するバッテリーパック、ユーザの操作が入力されるキーボード等が配置されている。ディスプレイ２は、画像を表示する表示パネル３と、表示パネル３を収容する筐体４と、を備えている。表示パネル３の背面に光を照射するバックライト等をさらに備えていてもよい。
【００１６】
表示パネル３は、例えば液晶パネルであり、表示面と、表示面とは反対側の背面と、を有している。なお、表示パネル３は、有機エレクトロルミネッセンス（ＥＬ）パネルであってもよいし、マイクロＬＥＤディスプレイのパネルモジュールであってもよい。表示面は、複数の画素がマトリクス状に配列された表示領域（画素領域）３１と、表示領域を囲繞する非表示領域（額縁領域）３２と、を有している。
【００１７】
筐体４は、表示パネル３の背面を覆うカバー５と、表示パネル３の表示面を覆うカバーウィンドウ６と、を備えている。カバー５は、第１カバーの一例であり、カバーウィンドウ６は、第２カバーの一例である。カバー５は、矩形の扁平な箱型に形成されている。カバーウィンドウ６は、ガラスやアクリル樹脂等の透光性の材料から平板状に形成されている。カバーウィンドウ６は、非表示領域３２を覆う領域とその外側の領域とが黒く塗りつぶされている。カバーウィンドウ６に代えて筐体４がベゼルを備え、該ベゼルが非表示領域３２等を覆うように構成してもよい。ベゼルは、第２カバーの他の一例である。
【００１８】
本発明の電子機器１は、表示面（前面）側に配置された自撮り用のカメラモジュール１０をさらに備えている。図示した例では、カメラモジュール１０が、表示パネル３の非表示領域３２よりも外側に配置され、カバーウィンドウ６に覆われている。前述のベゼルにカメラモジュール１０が覆われるように構成してもよい。カメラモジュール１０は、表示パネル３に表示される文字列や絵柄等の画像の向きにおいて、表示面の上辺を構成する非表示領域３２に隣接して配置されている。なお、カメラモジュール１０の配置は上辺の近傍に限定されず、左辺、右辺又は下辺の近傍であってもよい。
【００１９】
カメラモジュール１０は、レンズ（光学系）１３と、レンズ１３を固定するレンズホルダ１４と、レンズ１３から入ってきた光を電気信号に変換する撮像素子（イメージセンサ）等が実装された回路基板１１と、回路基板１１を覆う電磁波シールド１２と、を備えている。回路基板１１には、コネクタ等が設けられており、該コネクタに接続されたフレキシブル回路基板等を介して前述の非表示領域３２やパソコン本体等に電気的に接続されている。
【００２０】
図示した例では、回路基板１１に実装された撮像素子が、可視光と赤外光と双方を電気信号に変換可能に構成されている。カメラモジュール１０は、ウェブカメラに加えて、顔認証用のＩＲカメラ（近赤外線センサ）として使用できる。可視光を電気信号に変換する撮像素子と、赤外光を電気信号に変換する撮像素子と、を回路基板１１にそれぞれ実装してもよい。図示した例では、カメラモジュール１０が、赤外線を照射する投光イルミネータ１５をさらに備えている。投光イルミネータ１５は、回路基板１１に実装されている。
【００２１】
レンズホルダ１４は、遮光性の材料から形成され、撮像素子を覆うように回路基板１１に固定されている。レンズ１３は、円筒状のバレルによってレンズホルダ１４に固定されている。レンズ１３は、撮像素子１２の受光面に結像するように配置されている。レンズ１３は、一枚の単レンズで構成されていてもよいし、複数枚の単レンズを直列に並べた組レンズで構成されていてもよい。
【００２２】
電磁波シールド１２は、回路基板１１から発せられた電磁波を外部に漏らさないように回路基板１１を覆っている。また、電磁波シールド１２は、外部からの電磁波が回路基板１１に侵入するのを防ぐように回路基板１１を覆っている。図１に示すように、電磁波シールド１２が第１位置に位置した状態において、レンズ１３及び投光イルミネータ１５に重畳する部位には開口１２５，１２６がそれぞれ形成されている。
【００２３】
電磁波シールド１２が第１配置に位置している状態では、レンズ１３は、開口１２５を通じて外部に露出し、投光イルミネータ１５は、開口１２６を通じて外部に露出する。一方、図２に示すように、電磁波シールド１２が第２配置に位置している状態では、開口１２５，１２６がレンズ１３及び投光イルミネータ１５からずれて、電磁波シールド１２によってレンズ１３及び投光イルミネータ１５が遮光される。
【００２４】
電磁波シールド１２の両端部には、磁石１６Ｌ，１６Ｒがそれぞれ取り付けられている。磁石１６Ｌ，１６Ｒは、磁力によって筐体４の外側から操作される従動部材の一例である。磁石１６Ｌ，１６Ｒに代えて、鉄等の強磁性体から形成された金属片を電磁波シールド１２に取り付けてもよい。強磁性体の金属片は、従動部材の他の一例である。
【００２５】
なお、磁石１６Ｌは、磁石１６Ｒと略同一の形状及び機能を有している。そのため、代表して磁石１６Ｒを詳しく説明し、磁石１６Ｌについては重複する説明を省略することがある。また、以下の説明において、電磁波シールド１２に取り付けられた磁石１６Ｌ，１６Ｒをシールド側磁石１６Ｌ，１６Ｒと呼ぶことがある。
【００２６】
図示した例では、電磁波シールド１２は、カバー５とカバーウィンドウ６との間に収容されている。電磁波シールド１２を外部から直に手で触れることができないが、磁石１６Ｌ，１６Ｒを動かして外部から操作できる。なお、電磁波シールド１２を動かす力は磁力に限定されない。例えば、通電すると変形する形状記憶合金のアクチュエータで電磁波シールド１２を動かしてもよい。電磁波シールド１２の長さは、第１位置から第２位置への移動量と、磁石１６Ｌ，１６Ｒが取り付けられた分とで、回路基板１１の長さよりも長く形成されている。
【００２７】
図３は、カメラモジュール１０を分解して模式的に示す斜視図である。図３に示すように、回路基板１１は、第１乃至第４辺１１１，１１２，１１３，１１４を有した細長い矩形の平板状に形成され、前述の撮像素子や投光イルミネータ１５が実装された実装面１１Ａと、実装面１１Ａとは反対側のはんだ面１１Ｂと、を有している。実装面１１Ａとはんだ面１１Ｂと両面に電子部品を実装してもよい。第１及び第３辺１１１，１１３は、平行な一対の長辺の一例であり、第２辺及び第４辺１１２，１１４は、一対の短辺の一例である。
【００２８】
電磁波シールド１２は、金属箔等の電気の良導体から断面視でコの字形（Ｕ−ｓｈａｐｅ）の長尺で扁平な箱型に形成されている。電磁波シールド１２は、回路基板１１の実装面１１Ａに対向する天壁１２０と、天壁１２０から起立した側壁１２１，１２３と、を有している。換言すると、細長い金属箔（シールド本体）を折り目が長手方向になるように三つ折りにしたとき、両側の曲げ部が側壁１２１，１２３であり、中央が天壁１２０である。図示した例では、電磁波シールド１２の両端部を塞ぐ端壁１２２，１２４をさらに有している。端壁１２２，１２４は、前述の磁石１６Ｌ，１６Ｒに対向している。
【００２９】
図１及び図２に示すように、回路基板１１の実装面１１Ａを電磁波シールド１２で覆った状態で、電磁波シールド１２の側壁１２１は、回路基板１１の第１辺１１１に対向し、側壁１２３は、第３辺１１３に対向する。電磁波シールド１２が第１位置と第２位置との間を移動するとき、側壁１２１，１２３が第１及び第３辺１１１，１１３に案内されることにより、電磁波シールド１２の動きが直線移動に規制される。図示しないが、長辺１１１，１１３は、切欠き等を含んだ不連続な直線であってもよい。
【００３０】
図４は、図３に示された回路基板１１の変形例を示す平面図である。図４に示すように、回路基板１１は、回路基板１１の長手方向Ｘに沿って並べられた複数の案内部１１５を含んでいてもよい。各々の案内部１１５は、回路基板１１の長手方向Ｘ及び厚み方向Ｚに交差する幅方向（短手方向）Ｙに突出している。複数の案内部１１５の頂点１１６を結んだ仮想線は、回路基板１１の長手方向Ｘに沿って直線状に延びている。換言すると、各々の案内部１１５の幅方向Ｙにおける突出量は同一に揃えられている。図４に示された変形例の回路基板１１であっても、図３に示された回路基板１１と同様に、電磁波シールド１２の動きを直線移動に規制できる。
【００３１】
図５は、図１中のＶ−Ｖ線に沿う断面図である。図示した例では、電子機器１に加えて、カバー５に磁力によって吸着されるタッチペン７をさらに備えた電子機器システム（１，７）として構成されている。なお、電子機器システム（１，７）は、タッチペン７がカバーウィンドウ６の表面に吸着されるように構成されてもよい。タッチペン７は、先端（ペン先）寄りの部位と先端とは反対側の基端寄りの部位とに磁石７１Ｌ，７１Ｒが内蔵されている。
【００３２】
以下の説明において、タッチペン７に取り付けられた磁石７１Ｌ，７２Ｒをペン側磁石７１Ｌ，７１Ｒと呼ぶことがある。ペン側磁石７１Ｌ，７１Ｒは、磁力によって前述の従動部材と相互に引き合う駆動部材の一例である。なお、電磁波シールド１２側の従動部材が磁石の場合、タッチペン７に内蔵される駆動部材は、鉄等の強磁性体から形成された金属片であってもよい。
【００３３】
図５に示すように、タッチペン７は、ペン側磁石７１Ｌ，７１Ｒの間隔が、前述のシールド側磁石１６Ｌ，１６Ｒの間隔と略同一になるように構成されている。カバー５を挟んで互いに引き合うシールド側磁石１６Ｌ，１６Ｒとペン側磁石７１Ｌ，７１Ｒとの磁力によってシールド側磁石１６Ｌ，１６Ｒを動かすことができる。カバー及びカバーウィンドウ６の一方がカバー５であるとき、他方はカバーウィンドウ６である。
【００３４】
なお、カバーウィンドウ６を挟んで互いに引き合うシールド側磁石１６Ｌ，１６Ｒとペン側磁石７１Ｌ，７１Ｒとの磁力によってシールド側磁石１６Ｌ，１６Ｒを動かすように構成してもよい。カバー及びカバーウィンドウ６の一方がカバーウィンドウ６であるとき、他方はカバー５である。これにより、電磁波シールド１２を動かすための把持部としてカバー５やカバーウィンドウ６に吸着されたタッチペン７を利用できる。
【００３５】
図５は、図４に示された電磁波シールド１２の端部を拡大して示す断面図である。図示した例では、電磁波シールド１２の動きを滑らかにするため、電磁波シールド１２の両端部にスライダ１７及びクッション１８がそれぞれ取り付けられている。スライダ１７は、例えば、ポリオキシメチレン（ＰＯＭ）樹脂等の摺動性に優れた材料から形成され、カバー５に面した磁石１６Ｒ（１６Ｌ）の表面を覆っている。磁石１６Ｒ（１６Ｌ）に取り付けられたスライダ１７は、カバー５の表面を滑動する。
【００３６】
クッション１８は、発泡プラスチック等の弾性部材から形成され、電磁波シールド１２を挟んで磁石１６Ｒ（１６Ｌ）とは反対側に取り付けられてカバーウィンドウ６に当接している。なお、図示した例では、カバー５にスライダ１７が面し、カバーウィンドウ６にクッション１８が面しているが、カバー５にクッション１８が面し、カバーウィンドウ６にスライダ１７が面するように構成してもよい。
【００３７】
一対のスライド１７の少なくとも一方には、凹部１９が設けられている。凹部１９は、嵌合部の一例である。第１カバーの一例であるカバー５には、電磁波シールド１２が第１位置に位置した状態の凹部１９に対応する位置に第１凸部２１が設けられ、電磁波シールド１２が第２位置に位置した状態の凹部１９に対応する位置に第２凸部２２が設けられている。第１及び第２凸部２１，２２は、第１カバー又は第２カバーに設けられた被嵌合部の一例である。なお、第２カバーの一例であるカバーウィンドウ６の表面に半球状の樹脂材料等を接着して凸部を設けてもよい。スライダ１７に嵌合部の他の一例として凸部を設け、カバー５又はカバーウィンドウ６に被嵌合部の他の一例として凹部を設けてもよい。
【００３８】
クッション１８は、復元力によってスライダ１７を第１凸部２１又は第２凸部２２に向かって押圧する。電磁波シールド１２が第１位置又は第２位置に位置して凹部１９が第１又は第２凸部２１，２２に嵌合することにより、磁石１６Ｒを第１位置と第２位置との間で動かそうとする磁力が取り除かれても電磁波シールド１２が第１位置又は第２位置に位置決めされる。
【００３９】
以上のように構成された本発明の一実施形態の電子機器１及び電子機器システム（１，７）は、図１及び図２に示すように、電磁波シールド１２が第１位置と第２位置との間を移動可能に構成されている。電磁波シールド１２が第１位置に位置した状態では、レンズ１３の光軸上に開口１２５が重畳してレンズ１３が露出する。一方、第２位置に位置した状態では、レンズ１３の光軸上から開口１２５がずれて撮像素子が遮光される。そのため、カメラモジュール１０のプライバシー保護機能をコンパクトに構成できる。電子機器１がノートパソコン等であれば、ディスプレイ２等を狭額縁化、薄型化できる。
【００４０】
電磁波シールド１２は、カバー５とカバーウィンドウ６との間に収容されているが、シールド側磁石１６Ｌ，１６Ｒを備えているため、筐体４の外部から手を触れずに動かすことができる。タッチペン７を備えた電子機器システム（１，７）の場合、図４に示すように、把持部としてカバー５やカバーウィンドウ６等に吸着されたタッチペン７を利用できる。その結果、電力で駆動するアクチュエータ等で電磁波シールド１２を動かす場合と比べて、電子機器１を廉価でコンパクトに構成できる。
【００４１】
図３に示すように、電磁波シールド１２には、回路基板１１の一対の平行な長辺１１１，１１３に沿って
側壁１２１，１２３が設けられている。回路基板１１の長辺１１１，１１３に側壁１２１，１２３を案内させて、レール等を追加することなく電磁波シールド１２の移動を回路基板１１の長手方向に規制できる。図４に示すように、電磁波シールド１２を案内する回路基板１１の外形は不連続な直線であってもよい。
【００４２】
図５に示すように、電磁波シールド１２の第１位置と第２位置とに対応してカバー５等に第１凸部１２１等が設けられている。クッション１８の復元力によって電磁波シールド１２に取り付けられたスライダ１７の凹部１９がカバー５又はカバーウィンドウ６の凸部２１，２２に押圧されるため、磁力を取り除いても電磁波シールド１２が第１位置及び第２位置に位置決めできる。
【００４３】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００４４】
１…電子機器、３…表示パネル、５…カバー（第１カバーの一例）、６…カバーウィンドウ（第２カバーの一例）、７…タッチペン、１０…カメラモジュール、１１…回路基板、１１Ａ…実装面、１２…電磁波シールド、１３…レンズ、１６Ｌ，１６Ｒ…シールド側磁石（従動部材の一例）、１７…スライダ、１８…クッション、１９…凹部（嵌合部の一例）、２１，２２…第１凸部、第２凸部（被嵌合部の一例）、７１Ｌ，７２Ｒ…ペン側磁石（駆動部材の一例）、１１１，１１３…第１辺、第３辺（長辺の一例）、１１５…案内部、１１６…頂点、１２０…天壁、１２１，１２３…側壁、１２５…開口、Ｘ…長手方向、Ｙ…幅方向、Ｚ…厚み方向。
【図１】
2020134751.tif 000003
【図２】
2020134751.tif 000004
【図３】
2020134751.tif 000005
【図４】
2020134751.tif 000006
【図５】
2020134751.tif 000007
【図６】
2020134751.tif 000008
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
カメラモジュールが搭載された電子機器であって、
前記カメラモジュールは、レンズと、該レンズから入ってきた光を電気信号に変換する撮像素子が実装された回路基板と、該回路基板から発せられた電磁波及び／又は外部から前記回路基板へ侵入する電磁波を遮蔽する電磁波シールドと、を備え、
前記電磁波シールドは、開口を有し、前記レンズの光軸上に前記開口が重畳する第１位置と、前記レンズの光軸上に前記開口が重畳しない第２位置と、の間を移動可能に構成されており、
画像を表示する表示面及び該表示面とは反対側の背面を有した表示パネルと、前記背面を覆う第１カバーと、前記表示面を覆う第２カバーと、をさらに備え、
前記電磁波シールドは、前記第１カバー及び前記第２カバーのいずれか一方に面した嵌合部を有し且つ前記第１カバー及び前記第２カバーのいずれか一方の表面を滑動するスライダと、前記第１カバー及び前記第２カバーのいずれか他方に面したクッションと、を備え、
前記第１カバー及び前記第２カバーのいずれか一方には、前記電磁波シールドが前記第１位置及び前記第２位置に位置した状態の前記嵌合部に対応する位置に被嵌合部が設けられ、
前記嵌合部は、一対の凹部及び凸部のいずれか一方であり、前記被嵌合部は、一対の前記凹部及び前記凸部のいずれか他方であり、
前記クッションは、前記被嵌合部に向かって前記スライダを押圧する、
電子機器。
【請求項２】
前記電磁波シールドは、磁石又は磁石に引き付けられる強磁性体から形成された従動部材をさらに備え、
前記第１カバー及び前記第２カバーの外側から前記従動部材を動かすことで、前記電磁波シールドを前記第１位置と前記第２位置との間で移動可能に構成されている、
請求項１に記載の電子機器。
【請求項３】
カメラモジュールが搭載された電子機器であって、
前記カメラモジュールは、レンズと、該レンズから入ってきた光を電気信号に変換する撮像素子が実装された回路基板と、該回路基板から発せられた電磁波及び／又は外部から前記回路基板へ侵入する電磁波を遮蔽する電磁波シールドと、を備え、
前記電磁波シールドは、開口を有し、前記レンズの光軸上に前記開口が重畳する第１位置と、前記レンズの光軸上に前記開口が重畳しない第２位置と、の間を移動可能に構成されており、
前記回路基板は、平行な一対の長辺を有した平板状に形成され、
前記電磁波シールドは、前記回路基板の実装面に対向する天壁と、該天壁から起立して各々の前記長辺に対向する一対の側壁と、を有し、
前記電磁波シールドは、前記側壁が前記長辺に案内されて直線移動に規制されている、
電子機器。
【請求項４】
カメラモジュールが搭載された電子機器であって、
前記カメラモジュールは、レンズと、該レンズから入ってきた光を電気信号に変換する撮像素子が実装された回路基板と、該回路基板から発せられた電磁波及び／又は外部から前記回路基板へ侵入する電磁波を遮蔽する電磁波シールドと、を備え、
前記電磁波シールドは、開口を有し、前記レンズの光軸上に前記開口が重畳する第１位置と、前記レンズの光軸上に前記開口が重畳しない第２位置と、の間を移動可能に構成されており、
前記回路基板は、該回路基板の長手方向に沿って並べられ且つ前記長手方向及び前記回路基板の厚み方向に交差する前記回路基板の幅方向に突出した複数の案内部を有し、
前記電磁波シールドは、前記回路基板の実装面に対向する天壁と、該天壁から起立して前記案内部に対向する一対の側壁と、を有し、
前記電磁波シールドは、前記側壁が複数の前記案内部の頂点を結んだ直線に沿って案内されて直線移動に規制されている、
電子機器。
【請求項５】
カメラモジュールが搭載された電子機器と、該電子機器に装着可能なタッチペンと、を備えた電子機器システムであって、
前記カメラモジュールは、レンズと、該レンズから入ってきた光を電気信号に変換する撮像素子が実装された回路基板と、該回路基板から発せられた電磁波及び／又は外部から
前記回路基板へ侵入する電磁波を遮蔽する電磁波シールドと、を備え、
前記電磁波シールドは、前記レンズを露出させる開口を有し、前記レンズの光軸上に前記開口が重畳する第１位置と、前記レンズの光軸上に前記開口が重畳しない第２位置と、の間を移動可能に構成され、
前記電磁波シールドは、磁石又は磁石に引き付けられる強磁性体から形成された従動部材を備え、
前記従動部材は、前記第１位置と前記第２位置との間で前記電磁波シールドが移動する方向に所定の距離で離間して複数設けられ、
前記タッチペンは、前記所定の距離に対応する距離で離間し且つ前記従動部材と磁力によって引き合う複数の駆動部材を備え、
前記電磁波シールドは、前記駆動部材との間で相互に作用する磁力によって前記電子機器の外側から前記従動部材を動かすことにより移動可能に構成されている、
電子機器システム。